(57)【特許請求の範囲】
【請求項１】
画像の表示と受光とを並行して行う表示装置において、
マトリクス状に配置されて、表示用の電圧信号が印加される複数の画素電極と、
前記複数の画素電極に隣接してマトリクス状に配置されて、表示面に入射した光の受光を行う複数の受光素子と、
前記画素電極及び受光素子が配置された表示面を背面から照明し、表示画像の１フレーム期間の前半で発光を行い、後半で発光を停止させるバックライトと、
前記複数の画素電極をライン単位で駆動し、表示画像の１フレーム期間の前記前半をさらに２分割して第１期間と第２期間を順に設定し、１フレーム期間の前記後半をさらに２分割して第３期間と第４期間を順に設定した内の前記第１期間で、用意されたラインの約半分のライン内の画素電極に、表示用電圧を印加させる走査を行ない、前記第２期間で、前記走査を停止し、前記第３期間で、用意されたラインの残りのライン内の画素電極に、表示用電圧を印加させる走査を行ない、前記第４期間で、前記走査を停止させる画素駆動部と、
前記第２期間と前記第４期間に前記複数の受光素子の受光信号を読み出し、両期間に読み出された受光信号を、同じ位置の受光素子毎に差分を検出し、その検出した差分信号に基づいて、表示面に接触又は近接した状態を検出する検出部とを備えたことを特徴とする
表示装置。
【請求項２】
請求項１記載の表示装置において、
前記第２期間に読み出す受光信号は、前記第１期間に蓄積を開始させ、前記第４期間に読み出す受光信号は、前記第３期間に蓄積を開始させることを特徴とする
表示装置。
【請求項３】
マトリクス状に配置されて、表示用の電圧信号が印加される複数の画素電極と、
前記複数の画素電極に隣接してマトリクス状に配置されて、表示面に入射した光の受光を行う複数の受光素子とを用意して、画像の表示と受光とを並行して行う表示方法において、
前記画素電極及び受光素子が配置された表示面の背面からの照明として、表示画像の１フレーム期間の前半で発光を行い、後半で発光を停止させ、
前記複数の画素電極の駆動として、表示画像の１フレーム期間の前記前半をさらに２分割して第１期間と第２期間を順に設定し、１フレーム期間の前記後半をさらに２分割して第３期間と第４期間を順に設定した内の前記第１期間で、用意されたラインの約半分のライン内の画素電極に、表示用電圧を印加させる走査を行ない、第２期間で、前記走査を停止し、第３期間で、用意されたラインの残りのライン内の画素電極に、表示用電圧を印加させる走査を行ない、第４期間で、前記走査を停止させ、
前記第２期間と前記第４期間に前記複数の受光素子の受光信号を読み出し、両期間に読み出された受光信号を、同じ位置の受光素子毎に差分を検出し、その検出した差分信号に基づいて、表示面に接触又は近接した状態を検出することを特徴とする
表示方法。
【発明の詳細な説明】
【技術分野】
【０００１】
本発明は、例えば、液晶表示ディスプレイに適用して好適な表示装置及び表示方法に関し、特に、発光と並行して受光も可能な表示技術に関する。
【背景技術】
【０００２】
従来、テレビジョン受像機などの表示装置の表示画面上に、その画面に触れることで操作が可能なタッチパネルを構成させる場合、表示装置とは別体のタッチパネルを表示画面上に重ねる構成としてあった。
【０００３】
別体のタッチパネルを使用する構成としては、例えば、画面の上に、透明で薄い入力検出装置を貼り付けたものがある。これは導電性フィルムを用いたタッチセンサで、圧力を検出する感圧式のものや、人体との接触で変化する静電容量式のものなどがある。また、電磁誘導式といわれるもので、特殊なペンを用いて位置を入力するものもある。これらは表示パネルの表面に特殊な位置検出用のパネルをもう一枚重ねた構造となる。
【０００４】
これら検出用のパネルを、表示パネルと重ね合わせて使用するものは、タッチの検出原理は簡単であるが、表示パネルの上に何らかの部材を重ねるために、必然的に表示品質の低下が起こる。また検出方法が主に容量変化を検出する方式であるため、２箇所以上の入力を同時に検出することは困難である。
【０００５】
表面にパネルを追加しないタッチパネルの方式には、光学式のものがある。パネルの上下左右に発光素子（発光ダイオードなど）と、フォトトランジスタを組み合わせて配置し、指などが遮光することにより、位置を検出するものである。このような光学式では表示品質の低下は起こらないが、表示装置の周囲に設置する装置が大掛かりとなり、携帯機器には不向きである。
【０００６】
これらの従来のタッチパネルの不都合を解決するために、近年、別体のタッチパネルを設けることなく、表示装置の画面がそのままタッチパネルとして機能するようにしたものが提案されている。特許文献１には、このような発光と受光を並行して行う表示装置についての開示がある。
【０００７】
このような発光と受光を並行して行う表示装置の例としては、例えば表示面に配置された画像表示用の発光素子での表示（発光）を、間欠的に行い、その発光が休止した期間に、発光素子に隣接して配置した受光素子に受光に応じた電荷を蓄積させて、表示（発光）が休止した期間に、受光素子で受光を行うことが提案されている。
【０００８】
図６は、従来から提案されている受光素子内蔵の表示装置を使用して、表示と受光とを同時に行う駆動例を示したものである。この例では、表示装置としてはバックライトを使用した液晶画像表示装置とした例である。駆動状態としては、図６に示すように、表示させる映像の１フレーム期間を、前半と後半に１分割し、前半の期間にバックライトをオンさせ、後半の期間はバックライトをオフさせる。そして、１番目のラインの表示画素から最下段のラインの表示画素まで、実線の矢印で示すように、各フレームの期間をかけて、画素に表示用の印加電圧を、そのフレームの画素電圧に更新させる駆動処理を行う。
【０００９】
受光信号の読出しについては、各フレーム期間の前半で、時間ｔ１だけ受光素子に蓄積した受光信号を、全てのラインの画素から読出し、さらに、各フレーム期間の後半で、時間ｔ２だけ受光素子に蓄積した受光信号を、全てのラインの画素から読出す。そして、同じフレーム期間内の時間ｔ１に蓄積された受光信号と、時間ｔ２に蓄積された受光信号との差分をとる。そして、その差分の信号に基づいて、表示面への接触を検出するようにしている。バックライトオン時の受光信号とオフ時の受光信号との差分をとるのは、外光の影響を除去した受光信号成分を得るためである。
【特許文献１】特開２００４−１２７２７２号公報（図５）
【発明の開示】
【発明が解決しようとする課題】
【００１０】
この種の発光と受光を同時に行う表示装置を構成させた場合、受光素子が検出する受光信号には、種々のノイズが加わり易い問題があった。ノイズが加わる要因としては、例えば、暗い室内で受光を検出する状態と、明るい日中の屋外で受光を検出する状態とでの受光条件の違いに起因するノイズや、表示装置そのものの構成から生じるノイズなど、種々のものがある。
【００１１】
受光条件の違いに起因するノイズについては、図６に示したように、バックライトオン時の受光信号とオフ時の受光信号との差分をとることで、除去可能である。
【００１２】
表示装置の構成から生じるノイズとしては、受光素子に隣接して配置された表示用電極に印加される電圧が、受光素子での受光に影響を与えるノイズがある。具体的には、表示画素と受光素子とが隣接して配置されているために、表示画素に、画素駆動状態に対応した電圧を供給するデータ供給線と、受光信号の読出し線とが隣接して配置されることになる。このため、画素に表示電圧を供給すると、受光信号読出し線に信号が飛び込み、受光信号に対するノイズとなってしまう問題があった。このようなことが発生すると、受光信号のＳ／Ｎの低下を招く問題があり、良好な接触検出ができなくなる問題があった。
【００１３】
本発明はかかる点に鑑みてなされたものであり、発光と受光を並行して同時に行う場合における、ノイズの除去を簡単に行うことを目的とする。
【課題を解決するための手段】
【００１４】
本発明は、マトリクス状に配置されて、表示用の電圧信号が印加される複数の画素電極と、複数の画素電極に隣接してマトリクス状に配置されて、表示面に入射した光の受光を行う複数の受光素子とを用意して、画像の表示と受光とを並行して行う場合において、画素電極及び受光素子が配置された表示面の背面からの照明として、表示画像の１フレーム期間の前半で発光を行い、後半で発光を停止させ、複数の画素電極の駆動として、表示画像の１フレーム期間の前半をさらに２分割して第１期間と第２期間を順に設定し、１フレーム期間の後半をさらに２分割して第３期間と第４期間を順に設定した内の第１期間で、用意されたラインの約半分のライン内の画素電極に、表示用電圧を印加させる走査を行ない、第２期間で、走査を停止し、第３期間で、用意されたラインの残りのライン内の画素電極に、表示用電圧を印加させる走査を行ない、第４期間で、走査を停止させ、第２期間と第４期間に複数の受光素子の受光信号を読み出し、両期間に読み出された受光信号を、同じ位置の受光素子毎に差分を検出し、その検出した差分信号に基づいて、表示面に接触又は近接した状態を検出するようにしたものである。
【００１５】
このようにしたことで、表示画像に対応した電圧が画素電極に印加される期間と、受光信号が読み出される期間とが異なる期間となり、受光信号が読み出される信号線に、表示画素駆動電圧が飛び込むことがあっても、読み出される受光信号には影響がなくなり、ノイズの少ない接触又は近接の検出が可能になる。
【発明の効果】
【００１６】
本発明によると、画素への表示電圧の印加と、受光信号の読出しとが異なる期間に設定されるので、受光信号にノイズが加わることがなく、ノイズの少ない接触又は近接の検出が可能になる。
【発明を実施するための最良の形態】
【００１７】
以下、本発明の一実施の形態を、図１〜図５を参照して説明する。
【００１８】
本例においては、液晶表示ディスプレイとして構成された表示装置に適用したものであり、その液晶表示ディスプレイを構成する各発光素子に隣接して受光素子を配置して、発光（表示）と受光（読み取り）とを並行して行えるように構成したものである。ここでは、発光と受光を並行して行える本例のディスプレイを、画像の入力（受光）と出力（表示）が同時に行えるディスプレイであるので、Ｉ／Ｏディスプレイと称する。また、後述するように本例のＩ／Ｏディスプレイは、画面を触れた状態である接触だけでなく、画面に近接した物体についても検出が可能であり、以下の説明で接触の検出と述べた場合には、特に説明がある場合を除いて、近接の検出をも含むようにしてある。
【００１９】
図１は、本例の表示装置の構成例を示すブロック図である。アプリケーションプログラム実行部１１は、そのアプリケーション実行部１１が実行中のアプリケーションに応じた画像を表示させる処理を行うと共に、ディスプレイパネルの接触を検出して、接触した表示箇所に応じた処理などを行うようにしてある。アプリケーションプログラム実行部１１からの画像の表示の指示は、表示ドライブ回路１２に送られ、Ｉ／Ｏディスプレイパネル２０で画像を表示させるための駆動が行われる。
【００２０】
Ｉ／Ｏディスプレイパネル２０は、液晶表示ディスプレイとして構成され、ガラス基板などの透明な基板上に透明電極などが配置されて、表示エリア（センサエリア）２１に、複数の画素（表示素子）が縦横に所定個ずつ配置された、いわゆるマトリクス状に画素が配置されたディスプレイであり、背面にバックライト１５が配置してある。本例のバックライト１５は、例えば複数の発光ダイオードが配列されたものを使用してあり、比較的高速でバックライトの点灯のオン・オフ制御ができるようにしてある。バックライト１５での点灯のオン・オフ制御は、表示ドライブ回路１２での表示駆動に連動して行われる。表示ドライブ回路１２による液晶表示ディスプレイの駆動としては、ディスプレイを構成する画素電極に、駆動用の電圧信号を印加することで行われるが、表示データの１フレーム周期で、それぞれの画素電極に印加する電圧の極性を変化させる、いわゆる交流駆動を行うようにしてある。
【００２１】
Ｉ／Ｏディスプレイパネル２０は、表示素子とは別に複数の受光素子が配置してある。即ち、例えば、表示エリア（センサエリア）２１の各表示画素に隣接して、受光素子がマトリクス状に配置してあり、この受光素子への受光光量に対応して蓄積した信号電荷を、受光ドライブ回路１３からの駆動で読み出す構成としてある。
【００２２】
受光ドライブ回路１３で読み出されて判定された受光信号（後述する差分画像信号）は、画像処理部１４に送られて、接触状態などが画像として判定され、必要により接触中心の座標位置などが判定され、判定結果（座標データ、認識結果など）がアプリケーションプログラム実行部１１に送られる。アプリケーション実行部１１では、実行中のアプリケーションに応じた処理を行う。例えば、表示画像中に、接触を検出した箇所や範囲などを表示させる処理を行う。
【００２３】
次に、図２を参照して、本例のＩ／Ｏディスプレイパネル２０のドライバの配置例を説明する。中央に透明な表示エリア（センサエリア）２１が配置されたＩ／Ｏディスプレイパネル２０は、図２に示すように、表示エリア２１の４つの端面に、表示用水平ドライバ２２、表示用垂直ドライバ２３、センサ用水平ドライバ２４、センサ用垂直ドライバ２５が配置してある。表示用水平ドライバ２２と表示用垂直ドライバ２３には、表示用のデータとして、表示信号と制御クロックとが供給されて、表示エリア２１にマトリクス状に配置された表示画素の駆動が行われる。センサ用水平ドライバ２４とセンサ用垂直ドライバ２５には、読み出し用のクロックが供給されて、そのクロックに同期して読み出された受光信号を、受光信号線を介して受光ドライブ回路１３に供給する。
【００２４】
図３は、表示エリア２１に配置された画素の１つの構成を示した図である。１つの画素３１が備える表示のための構成としては、ここでは水平方向にゲート電極３１ｈが配置してあり、垂直方向にドレイン電極３１ｉが配置してあり、両電極の交点にスイッチチング素子３１ａが配置してあり、そのスイッチチング素子３１ａと画素電極３１ｂが接続してある。スイッチチング素子３１ａは、ゲート電極３１ｈを介して得られる信号によりオン・オフが制御され、ドレイン電極３１ｉを介して供給される信号により、画素電極３１ｂでの表示状態が設定される。
【００２５】
そして、画素電極３１ｂに隣接した位置に、受光センサ（受光素子）３１ｃが配置してあり、電源電圧ＶDDが供給される。この受光センサ（受光素子）３１ｃには、リセットスイッチ３１ｄとコンデンサ３１ｅが接続してあり、リセットスイッチ３１ｄでリセットされた後、コンデンサ３１ｅで受光量に対応した電荷を蓄積するようにしてある。その蓄積された電荷に比例した電圧が、読み出しスイッチ３１ｇがオンとなるタイミングで、バッファアンプ３１ｆを介して、信号出力用電極３１ｊに供給され、外部に出力される。リセットスイッチ３１ｄのオン・オフは、リセット電極３１ｋに得られる信号により制御され、読み出しスイッチ３１ｇのオン・オフは、読出し制御電極３１ｋに得られる信号により制御される。
【００２６】
ここまでが表示と受光のための画素３１の構成であるが、１つの画素に、受光センサ３１ｃと画素電極３１ｂとを隣接して設けてあるため、画素駆動電圧が印加される信号線であるドレイン電極３１ｉと、受光信号読出し線である信号出力用電極３１ｊとは、比較的隣接した位置に配置されることになり、ドレイン電極３１ｉでの電圧変化が、信号出力用電極３１ｊで読み出される信号に影響を及ぼすことになる。本例の場合には、その影響が出力に現れないような駆動処理を行うようにしてある。
【００２７】
図４及び図５は、本例の場合における、画像の表示（発光）と受光とが、各フレーム期間に行われる状態を示した図である。図４は、表示と受光を合わせて示してあり、図５は表示の走査（ａ）と受光の走査（ｂ）とを分けて示してある。図４及び図５の横軸は時間であり、縦軸は表示や受光を行う走査ライン（水平ライン）の位置を示してあり、表示信号の書き換えや受光信号の読出しは、ここでは１画面の最上段のライン（１番目のライン）から順に走査ラインを下に変化させて、最後に最下段のラインの走査を行う構成としてある。図４及び図５では、ｎフレーム目の処理と、そのｎフレームの次のフレームであるｎ＋１ｎフレーム目の処理を示してあり、同様の処理が継続して行われる。
【００２８】
ここでは、１フレーム期間は、例えば１／６０秒としてあり、図４に示すように、その１フレーム期間を前半と後半に２等分して分けてあり、前半をバックライトを点灯させる期間としてあり、後半をバックライトを消灯させる期間としてある。そして、受光信号の読出しについては、点灯期間と消灯期間のそれぞれで行うようにしてある。
【００２９】
さらに、バックライトオンの期間と、バックライトオフの期間とを、それぞれ２等分して、結局、１フレーム期間を第１期間、第２期間、第３期間、第４期間に４分割してある。例えば図５（ａ）に示すように、ｎフレーム目では、表示のための画素電極の駆動ラインＧ１は、バックライトオンの期間の前半（第１期間）に、画面の上半分の走査を行って、そのラインの画素の表示状態（画素に印加する電圧の駆動状態）を、そのフレーム期間の画像に書き換えさせ、バックライトオンの期間の後半（第２期間）では、走査ラインを変化させずに休止期間Ｓ１としてある。バックライトオフの期間の前半（第３期間）には、画面の下半分の走査を行って、そのラインの表示状態（画素に印加する電圧の駆動状態）を、そのフレーム期間の画像に書き換えさせ、バックライトオフの期間の後半（第４期間）では、走査ラインを変化させずに休止期間Ｓ２としてある。
【００３０】
受光処理については、例えば図５（ｂ）に示すように、ｎフレーム目では、バックライトオンの期間の前半（第１期間）に、全てのラインの受光信号を順にリセットさせる処理ＲＳ１を行い、バックライトオンの期間の後半（第２期間）に、全てのラインの受光信号を順に読み出す処理ＲＤ１を行い、それぞれのセンサで一定期間蓄積した受光信号を読み出す。同様に、バックライトオフの期間の前半（第３期間）に、全てのラインの受光信号を順にリセットさせる処理ＲＳ２を行い、バックライトオフの期間の後半（第４期間）に、全てのラインの受光信号を順に読み出す処理ＲＤ２を行い、それぞれのセンサで一定期間蓄積した受光信号を読み出す。
【００３１】
このようにして、１フレーム当り、バックライトがオンでいわゆる自発光時の受光信号読出しと、バックライトがオフで消灯時の受光信号読出しの２回の読出しが行われる。その１フレームの２回の読出し信号は、受光ドライブ回路１３内で、フレームメモリ１３ａに入力されて、各画素位置の信号ごとに差分が検出され、その差分の信号が、ノイズ除去された差分受光信号として、画像処理部１４に送られる。
【００３２】
この図４及び図５に示すようなタイミングで表示画素の駆動を行うと同時に、受光信号の読出しを行うことで、各ラインの画素電極に表示電圧が印加されるタイミングと、受光信号を読み出すタイミングとが異なる期間となる。このように異なるのは、バッライトオン時とバックライトオフ時のいずれでも同じであり、バッライトオン時の受光信号読出し時と、バックライトオフ時の受光信号読出し時のいずれでも、表示駆動電圧の変化によるノイズが、受光信号に加わるのを効果的に防止できる。従って、両受光信号の差分信号にも、表示駆動信号の影響によるノイズが加わることがなく、差分信号に基づいて、表示装置の表示面の接触又は近接の検出が、良好に行える。
【００３３】
なお、上述した実施の形態では、１フレーム期間をほぼ均等に４等分して、第１期間、第２期間、第３期間、第４期間を設定して、それぞれの期間で上述した処理を行うようにしたが、それぞれの期間やライン数の設定は、均等でなくてもよい。ノイズを防ぐという観点からは、少なくとも表示画素の駆動期間と、受光信号の読出し期間とを別期間として、受光信号の読出し期間には、表示駆動を休止させれば、対応が可能であり、そのような対応が行われていれば、図４、図５に示した各期間の設定を変更することは可能である。
【００３４】
なお、図３に示した受光センサ３１ｃとしては、種々の構成のセンサが使用可能である。即ち、例えばＰＮダイオード、ＰＩＮダイオード、ＴＦＴトランジスタなどの種々の素子構成が適用可能であり、受光信号を電圧として出力する種々のシステムにおいて有効である。
【００３５】
また、上述した実施の形態では、表示パネルとして、液晶ディスプレイを例として説明したが、受光素子を組み込むことが可能なディスプレイであれば、その他の構成のディスプレイにも本発明は適用可能である。
【図面の簡単な説明】
【００３６】
【図１】本発明の一実施の形態による表示装置の構成例を示すブロック図である。
【図２】本発明の一実施の形態による表示パネルの例を示す構成図である。
【図３】本発明の一実施の形態による画素構成例を示す接続図である。
【図４】本発明の一実施の形態による表示と受光のタイミング例を示すタイミング図である。
【図５】図４のタイミング図を表示（ａ）と受光（ｂ）で分解して詳細に示したタイミング図である。
【図６】従来の駆動例を示す説明図である。
【符号の説明】
【００３７】
１１…アプリケーションプログラム実行部、１２…表示ドライブ回路、１３…受光ドライブ回路、１３ａ…フレームメモリ、１４…画像処理部、１５…バックライト、２０…Ｉ／Ｏディスプレイパネル、２１…表示エリア（センサエリア）、２２…表示用水平ドライバ、２３…表示用垂直ドライバ、２４…センサ用水平ドライバ、２５…センサ用垂直ドライバ、３１，３２，３３…画素、３１ａ…スイッチチング素子、３１ｂ…画素電極、３１ｃ…センサ素子、３１ｄ…リセットスイッチ、３１ｅ…コンデンサ、３１ｆ…バッファアンプ、３１ｇ…読み出しスイッチ
【図１】
0004810936.tif 000002
【図２】
0004810936.tif 000003
【図３】
0004810936.tif 000004
【図４】
0004810936.tif 000005
【図５】
0004810936.tif 000006
【図６】
0004810936.tif 000007